(57)【要約】【課題】ボール拭きを兼ねたパターヘッドカバーを提供する。【解決手段】吸水性を有する素材により適宜形状に形成されたカバー部材２と、カバー部材を袋状に縫製することにより形成され、かつ内外面の少なくとも一部がボール拭きを兼ねたヘッドカバー本体１と、ヘッドカバー本体の一部に開口されたヘッド挿入口１ａとから構成したもので、パター５を取りに行く際ボール拭きを忘れてくることがないため、グリーン上でプレーが中断されることがなく、これによってプレーの遅延を防止することができると共に、気温が高い夏季や、空気が乾燥する冬季等であっても、カバー部材の水分維持層２ｃが内側面の素材に含まれた水分の蒸発を防止するため、ヘッドカバー本体の内外面を反転して使用することにより、濡れた状態の素材によりボールに付着した砂や土、草等の付着物を確実に払拭できるようになる。【選択図】図４
2008043482.tif 000002
【特許請求の範囲】
【請求項１】
吸水性を有する素材により適宜形状に形成されたカバー部材と、前記カバー部材を袋状に縫製することにより形成され、かつ内外面の少なくとも一部がボール拭きを兼ねたヘッドカバー本体と、前記ヘッドカバー本体の一部に開口されたヘッド挿入口とを具備したことを特徴とするパターヘッドカバー。
【請求項２】
前記カバー部材を、タオル地等の伸縮性を有する複数枚の素材により形成し、かつ前記素材の間に、防水膜や半透水膜、コーティング層、多孔質弾性体等からなる水分維持層を設けてなる請求項１に記載のパターヘッドカバー。
【請求項３】
前記ヘッドカバー本体の内外面を反転自在として、前記ヘッドカバー本体の内外面をボール拭きに使用できるようにしてなる請求項１または２に記載のパターヘッドカバー。
【請求項４】
前記ヘッド挿入口に、係脱自在な止着具を設けてなる請求項１ないし３の何れかに記載のパターヘッドカバー。
【請求項５】
前記ヘッドカバー本体の内外面の少なくとも一方に、記号や文字、マーク等の識別手段を形成してなる請求項１ないし４の何れかに記載のパターヘッドカバー。
【発明の詳細な説明】
【技術分野】
【０００１】
本発明は、ゴルフボール（以下単にボールという）に付着した砂や泥等の付着物を払拭するボール拭きを兼ねたパターヘッドカバーに関する。
【背景技術】
【０００２】
ゴルフに使用するゴルフクラブは、使用する状況に合せて種類が異なる複数のクラブが予めセットになっており、通常これらクラブをゴルフバッグに収容しているが、ゴルフのプレー中やゴルフバッグを輸送する場合、各クラブのヘッド同士が互いにぶつかり合って損傷するのを防止するため、各クラブのヘッドにヘッドカバーを装着している。
ゴルフクラブのヘッドカバーには、装飾効果の高いものや、機能的なもの等が種々開発され、また実用化されており、例えば特許文献１には、カバー本体のヘッドクラブ打撃面が接する内面に、付着物排除手段を設けたゴルフクラブカバーが記載されている。
前記特許文献１に記載のゴルフクラブカバーでは、カバー本体にクラブヘッドを挿脱する毎にクラブヘッドの打撃面に付着した砂等の付着物を付着物排除手段が排除するため、プレーヤは、ブラシ等の余分な道具を持ち歩くことなくクラブヘッドの打撃面に付いた付着物の除去を行うことができる効果を有している。
【０００３】
一方ゴルフのプレー中、砂や泥、草等の付着物は、ゴルフクラブの打撃面のみならずボールにも付着することが多い。
ボールに付着した付着物は、ルール上ボールがグリーンに乗ったときや、ホールアウトした場合のみ除去することが可能であることから、従来ではカート等に付着物を除去するための雑巾等のボール拭きを予め用意しておき、ボールがグリーンに乗ったら、ボールをマークした後拾い上げて、ボールに付着した付着物をボール拭きで払拭除去する作業を行っており、キャディが付いているときには、これら作業をキャディが行っている。
しかし最近では、キャディを同伴しないでプレーを行うセルフプレーヤも多い。
セルフプレーヤの場合、ゴルフバッグやカート等に予めボール拭きを用意しておき、グリーンにボールが乗ったらパターとともにボール拭きをグリーンまで持参し、グリーンよりボールを拾い上げた後、ゴルフボールに付着した付着物をボール拭きにより払拭除去している。
【特許文献１】特開２００５−１９８９３９号公報
【発明の開示】
【発明が解決しようとする課題】
【０００４】
しかし特許文献１に記載されたヘッドカバーでは、クラブヘッドの打撃面に付着した砂等の付着物を除去することはできるが、ゴルフボールに付着した付着物は除去することができない。
このため特許文献１に記載されたクラブヘッドカバーをパターに使用していたとしても、ボールがグリーンに乗ったら、パターとともにボール拭きをグリーンまで持参して、ボール拭きによりボールに付着した付着物を払拭する必要がある。
しかしプレーに集中していると、パターをとりに行った際ボール拭きを忘れてグリーンへ戻ることがよくある。
またゴルフプレーは通常複数人で回ることが多いことから、最初にグリーンにボールを乗せた人がグリーン近くまでカートを移動させ、他のプレーヤ全員のパターをグリーンまで持ってくることが多いが、他のプレーヤのボール拭きをグリーンまで持ってきてくることはほとんどない。
このためボール拭きを必要とするプレーヤは、ボール拭きを取りにカートまで戻ることになるが、カートがグリーンより遠い場所に停車されている場合、ボール拭きを取りに行っている間プレーが中断されるため、プレーが遅延する原因となる問題がある。
【０００５】
一方プレー中カートよりパターを取りやすくするため、プレーヤ全員のパターをまとめてパターケースに収容していることが多いが、最近のパターは、パターフェイス（打撃面）がアルミニウム等の軟質材料で形成されているものがある。
このためカートの移動中、パタークラブ同士が衝突してパターフェイスが傷付くのを防止するため、パターヘッドにヘッドカバーを装着した状態でパターケース内に収容しており、パターを使用する際には、ヘッドカバーごとパターをグリーンまで持参している。
しかしボール拭きを使用してボールに付着した付着物を払拭する場合、ヘッドカバーをグリーン周辺の邪魔にならない場所へ予め置いておき、その後ボール拭きを使用することが多いため、プレーに集中していると、ヘッドカバーとボール拭きの何れか一方を置き忘れて次のホールへ移動することがよくある。
【０００６】
ヘッドカバーを忘れて次のホールへ移動した場合、カートの走行中パターの損傷が防止できなくなり、またボール拭きを忘れて次のホールへ移動した場合、次のホールからボール拭きが使用できなくなるため、スコアメイクに微妙に影響が出たり、他のプレーヤからボール拭きを借りる場合も、グリーン上を歩き回らなければならないため、プレーに影響が出たり、他のプレーヤに迷惑を掛ける等の問題がある。
またボール拭きとして、予め濡らしたタオルや雑巾を持ち歩く人もいるが、気温が高い夏季や、空気が乾燥している冬季などでは、濡らしたタオルや雑巾がすぐに乾いてしまうため、ボール拭きとしての機能が損なわれる等の問題もある。
本発明はかかる問題を改善するためになされたもので、ボール拭きを兼ねたパターヘッドカバーを提供することにより、ヘッドカバーやボール拭きを忘れたために生じるプレーへの影響等を未然に防止することを目的とするものである。
【課題を解決するための手段】
【０００７】
本発明のパターヘッドカバーは、吸水性を有する素材により適宜形状に形成されたカバー部材と、カバー部材を袋状に縫製することにより形成され、かつ内外面の少なくとも一部がボール拭きを兼ねたヘッドカバー本体と、ヘッドカバー本体の一部に開口されたヘッド挿入口とから構成したものである。
【０００８】
前記構成により、ヘッドにヘッドカバー本体を装着した状態でパターをグリーンまで持ち運び、ヘッドより外したヘッドカバー本体によりボールに付着した砂や泥、草等の付着物を払拭除去することができるため、パターを取りに行く際ボール拭きを忘れてくることがない。
これによってグリーン上でプレーが中断されることがないため、プレーの遅延を防止することができると共に、他のプレーヤからボール拭きを借りる必要もなくなるため、スコアメイクに影響する等の心配もない。
またヘッドカバー本体のヘッド挿入口より一方の手をヘッドカバー本体へ差し込んで、ボールに付着した砂や土、草等の付着物を払拭することにより、すでに前のホールでヘッドカバー本体１をボール拭きとして使用したため一部が汚れていても、手を汚すことなくボールに付着した付着物を払拭除去することができると共に、ヘッドカバーやボール拭きをグリーンの周辺に置き忘れて次のホールへ移動することがなくなるため、カートの走行中にパターヘッドが損傷するのを確実に防止することもできる。
【０００９】
本発明のパターヘッドカバーはカバー部材を、タオル地等の伸縮性を有する複数枚の素材により形成し、かつ素材の間に、防水膜や半透水膜、コーティング層、多孔質弾性体等からなる水分維持層を設けたものである。
【００１０】
前記構成により、気温が高い夏季や、空気が乾燥する冬季等であって、カバー部材の外側面が乾燥した状態になっていても、カバー部材の水分維持層が内側面の素材に含まれた水分の蒸発を防止するため、内側面の素材は保水状態が維持されており、これによって濡れた状態の素材によりボールに付着した砂や土、草等の付着物を確実に払拭できるようになる。
【００１１】
本発明のパターヘッドカバーは、ヘッドカバー本体の内外面を反転自在として、ヘッドカバー本体の内外面をボール拭きに使用できるようにしたものである。
【００１２】
前記構成により、ヘッドカバー本体の外側面が汚れたり乾燥した場合、内外面を反転することにより再びボール拭きとして使用できるため、使用回数を倍増することができ、使い勝手が向上する。
【００１３】
本発明のパターヘッドカバーは、ヘッドカバー本体の内外面の少なくとも一方に、記号や文字、マーク等の識別手段を形成したものである。
【００１４】
前記構成により、パターのヘッドよりヘッドカバー本体を取り外すことなく、自分のパターを判別することができるため、他のプレーヤのパターの誤使用を未然に防止することができる。
【発明の効果】
【００１５】
本発明のパターヘッドカバーによれば、パターを取りに行く際ボール拭きを忘れてくることがないため、グリーン上でプレーが中断されることがなく、これによってプレーの遅延を防止することができると共に、気温が高い夏季や、空気が乾燥する冬季等であっても、カバー部材の水分維持層が内側面の素材に含まれた水分の蒸発を防止するため、ヘッドカバー本体の内外面を反転して使用することにより、濡れた状態の素材によりボールに付着した砂や土、草等の付着物を確実に払拭できるようになる。
【発明を実施するための最良の形態】
【００１６】
本発明の実施の形態を、図面を参照して詳述する。
図１はパターヘッドカバーの平面図、図２は図１のＡ−Ａ線に沿う断面図、図３は図２のＢ円内の拡大図、図４は使用状態の斜視図である。
図１に示すヘッドカバー本体１は、タオル地等のような吸水性を有する織布よりなる１枚または２枚のカバー部材２を縫着することにより形成されていて、縦方向の寸法が例えば１５０〜３５０ｍｍ、横方向の寸法が例えば１００〜２５０ｍｍ程度の長方形状に形成されている。
ヘッドカバー本体１の両面を形成するカバー部材２は、２枚の基布２ａ，２ｂと、これら基布２ａ，２ｂの間に設けられた水分維持層２ｃとからなる３層構造となっている。
各基布２ａ，２ｂの間に設けられた水分維持層２ｃは、水で濡らした状態のカバー部材２が早期に乾燥するのを防止するためのもので、例えばビニールフィルムのような防水シートや、防水シートに多数の小孔を穿設した半透水性シート、基布２ａ，２ｂの内側に防水塗料をコーティングすることにより形成した防水層、またはスポンジのような多孔質弾性体等の自ら保水性を有する素材により形成されている。
【００１７】
３層構造に形成されたカバー部材２は、互に重ねるか、前記寸法のほぼ倍数の大きさに形成したカバー部材２の一方の縦辺、または横辺から２つ折りして互に重ねた状態で、パター２のヘッド挿入口１ａとなる１辺を除く３辺を縫い糸３により縫着することにより袋状に形成されており、内外面の全体がボール払拭面となっている。
なおヘッドカバー本体１の内外面をボール拭きとして使用するに当って、ヘッドカバー本体１の内外面を反転しやすくするため、各カバー部材２のヘッド挿入口４となる１辺を除く３辺は、縫い糸３によりかがり縫いされているが、ヘッドカバー本体１の内外面が反転しやすければ別の縫製方法を採用してもよい。
ヘッド挿入口４の幅は、パター５のヘッド５ａを出し入れするのに支障がないように、ヘッド５ａの長さよりやや大きいか、十分に大きい長さに形成されており、ヘッド挿入口４には、パター５のヘッド５ａに装着したヘッドカバー本体１が脱落するのを防止する止着具６が設けられている。
止着具６としては、係脱が容易なホックやボタン、面状ファスナ、スナップ、マグネット等の何れでもよく、要はパター５のヘッド５ａに装着した状態でヘッド挿入口４を止着することができ、またヘッド５ａよりヘッドカバー本体１を取り外す際、簡単に係合が外れればよい。
【００１８】
一方ヘッドカバー本体１を形成するカバー部材２は、パター５をゴルフバッグ（図示せず）に収容した状態で輸送したり、またゴルフプレー中、カートに設けられたパターケース内に他のプレーヤのパター５とともに収容した際、ヘッド５ａ同士が衝突して傷付くのを防止するため、例えば２０ｍｍ程度の厚みを有している。
カバー部材２に使用する基布２ａ，２ｂがタオル地の場合、生地を複数枚重ねて縫合することにより所定の厚さを確保してもよく、生地の間にクッション材等を介在させて、厚さとクッション性を同時に得るようにしてもよい。
【００１９】
またヘッドカバー本体１は、パター５のヘッド５ａを保護すると同時に、ボールに付着した砂や土、草等の付着物を除去するボール拭きも兼ねていることから柔軟性も必要であり、汚れた場合に洗濯が容易である必要もある。
このためヘッドカバー本体１全体をタオル地等で形成することが望ましく、またヘッドカバー本体１の内外面全体がボール拭きとして使用できるように、全体の面積を広くすることも有効であるが、余り大きくすると、複数のパター５をパターケースに入れた場合パター５が取り出し難くなるので、適切な大きさが望ましい。
かかる要求を満足するため前記実施の形態では、ヘッドカバー本体１をタオル地により雑巾のような形状に形成しており、これによってパター５のヘッド５ａを保護するヘッドカバーと、ボール拭きとしての両方の機能が得られるようになっている。
【００２０】
次に前記構成された実施の形態になるパターヘッドカバーの作用を説明する。
通常ゴルフは複数人のプレーヤが組になって各ホールを回るが、パター５だけは、取り出しやすいようにカートに設けられたパターケース内にプレーヤ全員分を収容してコースを回ることが多い。
このためヘッドカバー本体１の形状や色が同じ場合、パター５のヘッド５ａよりヘッドカバー本体１を取り外さないと、どのプレーヤのパター５なのか判別がしにくくなるので、識別のために、予め異色に着色したヘッドカバー本体１をプレーヤ別に使用するか、ヘッドカバー本体１に予め記号文字、マーク等の識別手段を印刷や刺繍等の手段で表示したものを使用することにより、他のプレーヤのパター５を誤使用することが防止できる。
【００２１】
またスタートする前に予めヘッドカバー本体１の内外面を水で濡らして、カバー部材２を形成する基布２ａ，２ｂに水分を含浸させておくか、コースの途中でヘッドカバー本体１の内外面を水で濡らして、カバー部材２を形成する基布２ａ，２ｂに水分を含浸させておく。
プレー中ボールがグリーンに乗ったら、最初にボールをグリーンに乗せたプレーヤがグリーン周辺にカートを移動させ、カートのパターケースより全員分のパターをグリーンまで持ち運ぶことが多いが、このときパター５のヘッド５ａにヘッドカバー本体１を装着した状態でパター５を持ち運ぶことにより、ボール拭きを別に持参する必要がないため、ボール拭きを忘れる心配がない。
グリーンへパター５を持ち運んだら、各プレーヤにパター５を手渡すか、プレーの邪魔にならないグリーンの周辺にパター５を置いてから、自分のパター５よりヘッドカバー本体１を取り外して、ヘッドカバー本体１をボール拭きとして使用する。
【００２２】
このときヘッドカバー本体１のヘッド挿入口１ａより一方の手をヘッドカバー本体１へ差し込んで、ボールに付着した砂や土、草等の付着物を払拭するようにすれば、すでに前のホールでヘッドカバー本体１をボール拭きとして使用したため一部が汚れていても、手を汚すことなくボールに付着した付着物を払拭除去することができるようになるが、汚れが酷い場合は、ヘッドカバー本体１の内外面を反転して、今まで内側となっていたカバー部材２側をボール拭きとして使用する。
また気温が高い夏季や、空気が乾燥する冬季等であって、カバー部材２の外側面が乾燥した状態になっていても、カバー部材２の水分維持層２ｃが内側面の基布２ｂに含まれた水分の蒸発を防止するため、内側面の基布２ｂは保水状態が維持されており、これによって濡れた状態の基布２ｂによりボールに付着した砂や土、草等の付着物を確実に払拭できるようになる。
【００２３】
一方ボールに付着した付着物を除去したら、予めマークした場所にボールを置いてプレーを続けるが、ボール拭きを忘れたため、ボールに付着した付着物を除去せずにプレーを続けた場合に比べて精神的な安定感が得られること、またボールに付着した付着物によりボールのコースが変わる等の影響を受けることが少ないこと等の理由から、スコアメイクにも貢献することができる。
グリーン上でのプレーが終了したら、グリーンの周辺等に置いてあったヘッドカバー本体１を拾い上げて、再びパター５のヘッド５ａに装着し、次のホールへと向かうことになるが、ヘッドカバー本体１がボール拭きと一体となっているため、何れか一方を忘れて次のホールへ向かうことがなくなり、これによってホール移動中パターケース内に収容したパター２同士がぶつかってヘッド５ａが傷付くこともなく、また次のホールでボール拭きが使えなかったために、スコアメイクに影響する等の心配もない。
また長時間持ち歩いても、各基布２ａ，２ｂ間に設けられた水分維持層２ｃにより内側の基布２ａが常に保水状態に維持されることから、夏季のようにカバー本体１が乾燥されやすい状況でも、ラウンドの始めや、ラウンドの途中でカバー本体１を水で濡らすだけでよいため、煩わしさもほとんどない。
【００２４】
なお前記実施の形態では、基布２ａ，２ｂの間に水分維持層２ｃを設けたカバー部材２によりヘッドカバー本体１を形成した場合について説明したが、水分維持層２ｃを設けないカバー部材２によりヘッドカバー本体１を形成してもよく、水分維持層２ｃの両面にパイル地を植設して基布２ａ，２ｂと水分維持層２ｃの３層からなるカバー部材２によりヘッドカバー本体１を形成してもよい。
またタオル地よりなるカバー部材２によりヘッドカバー本体１を長方形状に形成したが、この形状に限定されるものではなく、パター５の出し入れが容易な形状であればどんな形状でもよいと共に、ヘッドカバー本体１の内外面の一部のみをボール拭きとして使用できるようにしてもよい。
さらにカバー部材２に使用する生地もタオル地のような織布に限定されることはなく、吸水性を有していれば、不織布や、靴下等に使用されている伸縮性を有する生地等であってもよく、吸水性を有し、かつ汚れても簡単に洗濯できる材料であれば素材に限定されることはなく、パルプ等の紙素材に形成して使い捨てにしてもよい。
また前記実施の形態では、ヘッドカバー本体１のヘッド挿入口１ａを除く３辺を縫い糸により縫着したが、２辺または１辺を縫着し、残りの１辺にファスナや面状ファスナ、その他の止着手段を取り付けてもよく、ヘッド挿入口１ａを除く全辺を止着手段で止着して、２枚のカバー部材２が分離できるようにしてもよい。
【００２５】
以上のようにボール拭きを兼ねたパターヘッドカバーは、ヘッドカバー本体１と別にボール拭きを持参する必要がない利点を有しており、また予め色が異なったり、記号や文字、マーク等の識別手段を印刷や刺繍等の手段で表示した複数枚のヘッドカバー本体１を、セットにして販売することが有効であるが、予めゴルフ場の名称、ローカルルールやマナー等の情報を表示したラベル等をヘッドカバー本体１の適当な個所に縫着して、ゴルフ場で販売したり、無料で配布したりするようにしてもよい。
【図面の簡単な説明】
【００２６】
【図１】本発明の実施の形態になるパターヘッドカバーの平面図である。
【図２】図１のＡ−Ａ線に沿う断面図である。
【図３】図２のＢ円内の拡大図である。
【図４】本発明の実施の形態になるパターヘッドカバーの使用状態の斜視図である。
【符号の説明】
【００２７】
１    ヘッドカバー本体
１ａ    ヘッド挿入口
２      カバー部材
２ａ    基布（素材）
２ｂ    基布（素材）
２ｃ    水分維持層
３    縫い糸
４    止着具
５    パター
５ａ    ヘッド
【図１】
2008043482.tif 000003
【図２】
2008043482.tif 000004
【図３】
2008043482.tif 000005
【図４】
2008043482.tif 000006